(57)【要約】【課題】一方の部品に対して他方の部品の端縁部を接着剤で接着しても、端縁部の先端の厚み方向の両側に接着剤が溢れ出すのを防止できる部品相互の接着接続部を得る。【解決手段】ハウジング部６Ｈの長さをもった周壁部６Ｈａの先端の厚み方向の両側に、凹部３０ａ及び３０ｂをそれぞれ長手方向に沿って形成する。これら凹部３０ａ及び３０ｂの間に突き当て凸部３１を長手方向に沿って突設する。突き当て凸部３１は、回路基板３に接着剤３２で接着する。突き当て凸部３１を回路基板３に接着している接着剤３２の余分の部分を、突き当て凸部３１の厚み方向の両側の凹部３０ａ及び３０ｂに収容する。【選択図】図６
2008191552.tif 000002
【特許請求の範囲】
【請求項１】
一方の部品に対して他方の部品の長さをもった端縁部が突き当てられて接着剤で接着されている部品相互の接着接続部であって、
前記他方の部品の長さをもった前記端縁部の先端の厚み方向の両側に凹部がそれぞれ長手方向に沿って形成され、これら凹部の間に突き当て凸部が長手方向に沿って突設され、前記突き当て凸部を前記一方の部品に接着している前記接着剤の余分の部分が前記突き当て凸部の厚み方向の両側の前記凹部に収容されていることを特徴とする部品相互の接着接続部。
【請求項２】
前記一方の部品はモジュール部品であり、前記他方の部品はハウジングであり、前記端縁部は前記ハウジングの周壁部であることを特徴とする請求項１に記載の部品相互の接着接続部。
【請求項３】
前記一方の部品は撮像モジュール部品であり、前記他方の部品は前記撮像モジュール部品を包囲する台座のハウジング部であり、前記端縁部は前記ハウジング部の周壁部であることを特徴とする請求項１に記載の部品相互の接着接続部。
【発明の詳細な説明】
【技術分野】
【０００１】
本発明は、一方の部品に対して他方の部品の長さをもった端縁部が突き当てられて接着剤で接着されている部品相互の接着接続部に関する。
【背景技術】
【０００２】
例えば、撮像レンズ繰り出し装置では、回路基板に撮像センサー素子をワイヤーボンディングで接続して撮像モジュール部品を構成し、この撮像モジュール部品に台座を重ね、この際に台座の下部のハウジング部の周壁部で撮像センサー素子を包囲し、この周壁部の端縁部を接着剤で回路基板に固定した構造であった（例えば、特許文献１参照。）。
【特許文献１】特許第３８１３１６７号公報
【発明の開示】
【発明が解決しようとする課題】
【０００３】
しかしながら、従来の撮像レンズ繰り出し装置では、ハウジング部の周壁部の端縁部が当接する回路基板の部分に沿って接着剤を塗布しておいて、この接着剤の塗布部分にハウジング部の周壁部の端縁部を当接して接着する際に、接着剤が周壁部の端縁部の先端の厚み方向の両側に溢れ出す問題点があった。周壁部の端縁部の内側に溢れた接着剤は、周壁部の内側で回路基板上の電子部品や端子パターンに付着し、電気的な不具合を招く問題点があった。周壁部の端縁部の外側に溢れた接着剤は、美観が悪くなると共に後で剥離欠落して電気的不具合を招いたりする問題点があった。
【０００４】
本発明の目的は、一方の部品に対して他方の部品の端縁部を接着剤で接着しても、端縁部の先端の厚み方向の両側に接着剤が溢れ出すのを防止できる部品相互の接着接続部を提供することにある。
【課題を解決するための手段】
【０００５】
上述の如き従来の問題を解決し、所期の目的を達成するための請求項１に記載の発明は、一方の部品に対して他方の部品の長さをもった端縁部が突き当てられて接着剤で接着されている部品相互の接着接続部であって、
前記他方の部品の長さをもった前記端縁部の先端の厚み方向の両側に凹部がそれぞれ長手方向に沿って形成され、これら凹部の間に突き当て凸部が長手方向に沿って突設され、前記突き当て凸部を前記一方の部品に接着している前記接着剤の余分の部分が前記突き当て凸部の厚み方向の両側の前記凹部に収容されていることを特徴とする。
【０００６】
請求項２に記載の発明は、請求項１の構成に加え、前記一方の部品はモジュール部品であり、前記他方の部品はハウジングであり、前記端縁部は前記ハウジングの周壁部であることを特徴とする。
【０００７】
請求項３に記載の発明は、請求項１の構成に加え、前記一方の部品は撮像モジュール部品であり、前記他方の部品は前記撮像モジュール部品を包囲する台座のハウジング部であり、前記端縁部は前記ハウジング部の周壁部であることを特徴とする。
【発明の効果】
【０００８】
本発明に係る部品相互の接着接続部では、一方の部品に対して他方の部品の長さをもった端縁部が突き当てられて接着剤で接着する際に、他方の部品の長さをもった端縁部の先端の厚み方向の両側に凹部をそれぞれ長手方向に沿って形成し、これら凹部の間に突き当て凸部を長手方向に沿って突設し、突き当て凸部を一方の部品に接着している接着剤の余分の部分を突き当て凸部の厚み方向の両側の凹部に収容しているので、端縁部の先端の厚み方向の両側に接着剤が溢れ出すのを防止することができる。
【０００９】
ここで、一方の部品をモジュール部品とし、他方の部品をハウジングとし、端縁部をハウジングの周壁部とすることができる。
【００１０】
また、一方の部品を撮像モジュール部品とし、他方の部品を撮像モジュール部品を包囲する台座のハウジング部とし、端縁部をハウジング部の周壁部とすることができる。
【発明を実施するための最良の形態】
【００１１】
以下、本発明に係る部品相互の接着接続部を実施するための最良の形態を、撮像レンズ繰り出し装置に適用した実施例にて図１乃至図６を参照して詳細に説明する。ここで、図１は本例の撮像レンズ繰り出し装置の分解斜視図、図２は本例で用いている台座の平面図、図３は本例の台座の正面図、図４は図２のＸ−Ｘ断面図、図５は図４のＤ部の拡大図、図６は本発明の要部構成を示す接着接続部の断面図である。
【００１２】
本例の撮像レンズ繰り出し装置は、図１に示すように、撮像センサー素子１を中央の垂直な軸心２に中心をおいて搭載した回路基板３と、赤外線フィルター４と、撮像センサー素子１に対応する軸心２を包囲して窓５を有して回路基板３に固定された台座６と、台座６上に軸心２に同心状に切り換えレバー７付きで環状をした回転筒体８、シールリング９、内周面に雌ネジ１０を設けたマクロコア１１、撮像レンズ群１２を内蔵して外周に雌ネジ１０に螺合する雄ネジ１３を有するレンズホルダー１４、付勢手段としての環状のウエーブワッシャ１５、中央に開口部１６を有するカバー１７が重ねられるようになっている。
【００１３】
回路基板３は四角形をなしていて、その上に該回路基板３中央の垂直な軸心２に中心をおいて四角形の撮像センサー素子１が載せられて、ワイヤーボンディング１８で接続されて撮像モジュール部品Ａが構成されている。撮像センサー素子１の上には、赤外線フィルター４が重ねられている。軸心２を包囲して窓５を有する四角形の台座６が回路基板３の上に載せられている。回路基板３に台座６が後述するように接着剤で固定されている。台座６の上面の四隅には、コーナーブラケット１９が突設されている。四角形の台座６の対向する２つの辺に対応する側で各コーナーブラケット１９の外面には、フック突起２０がそれぞれ突設されている。台座６の上面には、軸心２に対して同軸状に環状のガイド筒部２１が突設されている。
【００１４】
ガイド筒部２１の外周には、切り換えレバー７を備えた環状の回転筒体８が回転可能に嵌められている。回転筒体８の上面には、軸心２の方向に対する高さが周方向に沿って徐々に変わる複数（本例では３つ）の傾斜カム面２２が連続して１２０度間隔で設けられている。各傾斜カム面２２は、軸心２の方向に対する高さが本例では反時計方向に徐々に高くなる構造になっている。
【００１５】
マクロコア１１の下面には、ガイド筒部２１の先端部を嵌める環状溝（図示せず）が設けられている。マクロコア１１の下面には、この環状溝の径方向の外側で各傾斜カム面２２に当接する突起２４がそれぞれ設けられている。ガイド筒部２１の先端部に、シールリング９を介してマクロコア１１の環状溝が嵌められて環状のシール部が形成されている。マクロコア１１は、その環状溝に嵌ったガイド筒部２１をガイドとして軸心２の方向に摺動可能になっている。マクロコア１１の外周には、その外周に周方向に９０度間隔で回り止め突起２６が突設されている。これら回り止め突起２６は、台座６の四隅のコーナーブラケット１９の内向きの凹部１９ａに嵌められていてマクロコア１１の回り止めをなしている。コーナーブラケット１９の内周の雌ネジ１０に、撮像レンズ群１２を内蔵したレンズホルダー１４の雄ネジ１３が螺合されて固定されている。レンズホルダー１４の上面には、このレンズホルダー１４を回転するための複数の凹部２７が設けられている。
【００１６】
マクロコア１１の上面には、環状のウエーブワッシャ１５が重ねられ、レンズホルダー１４の上面には中央に開口部１６を有する四角形のカバー１７が重ねられている。カバー１７には、台座６の各フック突起２０に対応してフックループ２８が下向きに突設されている。カバー１７は、台座６側に押圧してその各フックループ２８を台座６の各フック突起２０に嵌めて締め付け固定されている。
【００１７】
本例の部品相互の接着接続部では、一方の部品は撮像モジュール部品Ａであり、他方の部品は撮像モジュール部品Ａを包囲する台座６のハウジング部６Ｈであり、端縁部はハウジング部６Ｈの周壁部６Ｈａである。
【００１８】
他方の部品であるハウジング部６Ｈの長さをもった端縁部としての周壁部６Ｈａの先端の厚み方向の両側には、凹部３０ａ及び３０ｂがそれぞれ長手方向に沿って形成されている。これら凹部３０ａ及び３０ｂの間に突き当て凸部３１が長手方向に沿って突設されている。突き当て凸部３１は、一方の部品である撮像モジュール部品Ａの回路基板３に接着剤３２で接着されている。突き当て凸部３１を回路基板３に接着している接着剤３２の余分の部分は、突き当て凸部３１の厚み方向の両側の凹部３０ａ及び３０ｂに収容されている。
【００１９】
このような撮像レンズ繰り出し装置は、切り換えレバー７を回転操作しての回転筒体８の軸心２の回りでの回転に伴って、その上面の傾斜カム面２２が一緒に回転する。傾斜カム面２２の回転で、マクロコア１１の各突起２４は傾斜カム面２２上での接触位置が徐々に変わり、マクロコア１１が軸心２の方向に徐々に移動し、撮像レンズ群１２を備えたレンズホルダー１４が撮像センサー素子１に対する距離が変わる。
【００２０】
本例の撮像レンズ繰り出し装置では、撮像モジュール部品Ａに対して台座６のハウジング部６Ｈの長さをもった周壁部６Ｈａを突き当てて接着剤３２で接着する際に、周壁部６Ｈａの先端の厚み方向の両側に凹部３０ａ及び３０ｂを長手方向に沿って設け、凹部３０ａ及び３０ｂの間に長手方向に沿って設けられている突き当て凸部３１を撮像モジュール部品Ａの回路基板３に接着している接着剤３２の余分の部分を、突き当て凸部３１の厚み方向の両側の凹部３０ａ及び３０ｂに収容しているので、周壁部６Ｈａの先端の厚み方向の両側に接着剤３２が溢れ出すのを防止することができる。
【００２１】
上記例では、本発明の部品相互の接着接続部を撮像レンズ繰り出し装置に適用した例について示したが、本発明はこれに限定されるものではなく、例えば                  のように、一方の部品に対して他方の部品の長さをもった端縁部を突き当てて接着剤で接着する場合に、同様に適用することができる。
【図面の簡単な説明】
【００２２】
【図１】本発明に係る部品相互の接着接続部を、撮像レンズ繰り出し装置に適用した実施例の分解斜視図である。
【図２】本例で用いている台座の平面図である。
【図３】本例の台座の正面図である。
【図４】図２のＸ−Ｘ断面図である。
【図５】図４のＤ部の拡大図である。
【図６】図６は本発明の要部構成を示す接着接続部の断面図である。
【符号の説明】
【００２３】
Ａ  撮像モジュール部品
１  撮像センサー素子
２  軸心
３  回路基板
４  赤外線フィルター
５  窓
６  台座
６Ｈ  ハウジング部
６Ｈａ  周壁部
７  切り換えレバー
８  回転筒体
９  シールリング
１０  雌ネジ
１１  マクロコア
１２  撮像レンズ群
１３  雄ネジ
１４  レンズホルダー
１５  ウエーブワッシャ
１６  開口部
１７  カバー
１８  ワイヤーボンディング
１９  コーナーブラケット
１９ａ  凹部
２０  フック突起
２１  ガイド筒部
２２  傾斜カム面
２４  突起
２６  回り止め突起
２７  凹部
２８  フックループ
３０ａ及び３０ｂ  凹部
３１  突き当て凸部
３２  接着剤
【図１】
2008191552.tif 000003
【図２】
2008191552.tif 000004
【図３】
2008191552.tif 000005
【図４】
2008191552.tif 000006
【図５】
2008191552.tif 000007
【図６】
2008191552.tif 000008